(57)【特許請求の範囲】
【請求項１】
省エネモードのときに、公衆回線網から送出される呼出信号の着信を検出してメイン制御ユニットを通常モードに復帰させるサブ制御ユニットと、
呼出信号が着信してから呼出信号の鳴動回数が予め設定された規定鳴動回数に達するまでに要する所要時間を記憶する記憶手段と、前記通常モードに復帰後に、前記サブ制御ユニットにより呼出信号が検出されてから前記通常モードに復帰するまでに要した経過時間に基づいて時間を計測し、計測時間が前記記憶手段に記憶された所要時間に達したときにオフフックするメイン制御手段とを有する前記メイン制御ユニットとを備え、
前記サブ制御ユニットは、
前記呼出信号の着信を検出した検出時刻を記憶する着信検出情報記憶手段を有し、
前記メイン制御手段は、
前記通常モードに復帰したときに取得した復帰時刻から前記着信検出情報記憶手段に記憶された前記検出時刻を差し引いた時間を前記経過時間とする
ことを特徴とするファクシミリ装置。
【請求項２】
前記メイン制御手段は、
通常モード中に、公衆回線網から送出される呼出信号の着信を検出すると、呼出信号の鳴動回数をカウントし、カウント値が予め設定された前記規定鳴動回数に達したときにオフフックする
ことを特徴とする請求項１に記載のファクシミリ装置。
【請求項３】
前記メイン制御ユニットは、呼出信号の鳴動周期の鳴動時間＋鳴動周期×（規定鳴動回数−１）により前記所要時間を算出して、前記記憶手段に記憶させる
ことを特徴とする請求項１又は２に記載のファクシミリ装置。
【発明の詳細な説明】
【技術分野】
【０００１】
本発明は、省エネモードを備えたファクシミリ装置に関する。
【背景技術】
【０００２】
従来、着信がある場合、公衆回線網から呼出信号が電話回線を介してファクシミリ装置に送出される。電話回線には、電話機が接続されており、呼出信号の鳴動パターンに応じて電話機が鳴動して着信を知らせる。自動受信機能を備えたファクシミリ装置では、着信を検出すると、着信を制御する制御部が、鳴動回数をカウントして、鳴動回数が予め設定された規定鳴動回数に達すると、自動的にオフフックしてファクシミリ受信を開始する。
【０００３】
ところで、ファクシミリ装置には、ファクシミリ機能を使用しないときに消費電力を抑えた状態で動作する省エネルギー（以下、省エネと呼ぶ）モードを備えたものがある。通常、省エネモードでは、着信を制御する制御部等がスリープ状態となり、公衆回線網からの着信を検出して制御部等をスリープ状態から復帰させるための機能だけが動作している。そのため、省エネモード中に公衆回線網から呼出信号が送出された場合、電話機が無鳴動となるように制御する技術が提案されている（例えば、特許文献１〜３を参照）。
【０００４】
省エネモードのときに着信が検出されると、着信を制御する制御部がスリープ状態から復帰して、鳴動回数のカウントを開始する。そのため、着信が検出されてから制御部が復帰するまでの鳴動回数がカウントされず、予め設定された規定鳴動回数より多く鳴動することになる。そのため、これを防ぐ様々な技術が提案されている。
【０００５】
例えば、呼出信号に対応して発生させた擬似ベル信号によって電話機を鳴動させる鳴動制御部を設け、通常モードでは、メイン制御部により鳴動制御部を制御して電話機を規定回数鳴動させ、省エネモード中及び省エネ復帰中では、メイン制御部に代わってサブ制御部により鳴動制御部を制御して電話機を規定回数鳴動させる技術が提案されている（例えば、特許文献４を参照）。
【先行技術文献】
【特許文献】
【０００６】
【特許文献１】特開２００１−３０９０７７号公報
【特許文献２】特開２００５−０８６７５５号公報
【特許文献３】特開２００２−３４４６５７号公報
【特許文献４】特開２０１３−００５０３７号公報
【発明の概要】
【発明が解決しようとする課題】
【０００７】
しかしながら、特許文献４に開示の技術では、鳴動装置を備える必要があり、コストが掛かっていた。
【０００８】
本発明は上記課題に鑑みてなされたものであり、上記課題を解決する技術を提供することを目的とする。
【課題を解決するための手段】
【０００９】
本発明のファクシミリ装置は、省エネモードのときに、公衆回線網から送出される呼出信号の着信を検出してメイン制御ユニットを通常モードに復帰させるサブ制御ユニットと、呼出信号が着信してから呼出信号の鳴動回数が予め設定された規定鳴動回数に達するまでに要する所要時間を記憶する記憶手段と、前記通常モードに復帰後に、前記サブ制御ユニットにより呼出信号が検出されてから前記通常モードに復帰するまでに要した経過時間に基づいて時間を計測し、計測時間が前記記憶手段に記憶された所要時間に達したときにオフフックするメイン制御手段とを有する前記メイン制御ユニットとを備え、前記サブ制御ユニットは、前記呼出信号の着信を検出した検出時刻を記憶する着信検出情報記憶手段を有し、前記メイン制御手段は、前記通常モードに復帰したときに取得した復帰時刻から前記着信検出情報記憶手段に記憶された前記検出時刻を差し引いた時間を前記経過時間とすることを特徴とする。
また、前記メイン制御手段は、通常モード中に、公衆回線網から送出される呼出信号の着信を検出すると、呼出信号の鳴動回数をカウントし、カウント値が予め設定された前記規定鳴動回数に達したときにオフフックしてもよい。
また、前記メイン制御ユニットは、呼出信号の鳴動周期の鳴動時間＋鳴動周期×（規定鳴動回数−１）により前記所要時間を算出して、前記記憶手段に記憶させてもよい。
【発明の効果】
【００１０】
本発明によれば、鳴動装置などを設けることなく、省エネモード中に着信があったときに、予め設定した回数の呼出回数で応答することができる技術を提供できる。
【図面の簡単な説明】
【００１１】
【図１】本発明に係る実施形態の画像形成装置の構成を示すブロック図である。
【図２】図１に示すメイン制御ユニットのＲＯＭに記憶された呼出信号の鳴動パターンの一例である。
【図３】図１に示す接続切替部の接続態様を示す回路ブロック図である。
【図４】図１に示すファックスボードにおける所要時間Ｔを算出する処理の流れを示すフローチャートである。
【図５】図４に示す所要時間Ｔを示すイメージ図である。
【図６】図１に示すファックスボードが通常モード中に着信を検出するときの処理の流れを示すフローチャートである。
【図７】図１に示すファックスボードが通常モードから省エネモードに移行して省エネモード中に着信を検出するときの処理の流れを示すフローチャートである。
【発明を実施するための形態】
【００１２】
以下、図を参照して本発明の実施形態を詳細に説明する。なお、以下の実施形態において、同様の機能を示す構成には、同一の符号を付してある。
【００１３】
図１に示すように、画像形成装置１００は、スキャナー機能、複写機能、印刷機能及びファクシミリ機能等を備えたＭＦＰ（Multifunction Printer）である。なお、画像形成装置１００は、単にファクシミリ機能を備えたファクシミリ装置であってもよい。
【００１４】
画像形成装置１００のメインコントローラー１には、操作パネル部１０と画像読取部１１と記憶部１２と印刷部１３と通信部１４と省エネ管理部１５と電源制御部１６とＲＡＭ１７とＲＯＭ１８とＣＰＵ１９とが設けられている。
【００１５】
操作パネル部１０は、液晶表示パネルの表面に透明の感圧センサーが設けられた表示手段及び入力手段として機能するタッチパネル、印刷枚数等の数値を入力するためのテンキー、設定情報を初期化させる指示を入力するためのリセットキー、複写動作を停止させたり、入力された数値を消去させたりするためのストップキー、割り込みコピーを指示する割り込みキー、印刷動作を開始させる出力指示を入力するためのスタートキー等の各種操作キーを備えたユーザーインターフェースである。
【００１６】
画像読取部１１は、図示しない原稿給紙装置により給紙されてきた原稿や、ユーザーによってプラテンガラスに載置された原稿に対して光を照射し、その反射光等を受光して原稿画像を読み取るスキャナーである。
【００１７】
記憶部１２は、半導体メモリーやＨＤＤ（Hard Disk Drive）等の記憶手段であり、画像読取部１１によって読み取られた画像データや、通信部１４を介して不図示の外部端末から受信された画像データが蓄積される記憶手段である。
【００１８】
印刷部１３は、記憶部１２に記憶された画像データを印刷する印刷手段である。印刷部１３は、例えば、記憶部１２から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１９】
通信部１４は、ＬＡＮ（Local Area Network）等のネットワークを介して、不図示の外部端末との間で各種データを送受信する機能を有する。
【００２０】
省エネ管理部１５は、画像形成装置１００の各部の省エネ状態を管理し、各部の動作モードを通常モード又は省エネモードにする。通常モードでは、すぐに処理を実行可能な状態で画像形成装置１００が動作する。省エネモードでは、通常モードよりも消費電力を抑えた状態で画像形成装置１００が動作する。例えば、ファックスボード３では、通常モードのときに、操作パネル部１０が所定時間操作されなかった場合、省エネ管理部１５は、ファックスボード３の動作モードを通常モードから省エネモードに移行する。その際、省エネ管理部１５は、ファックスボード３に省エネ移行を通知して、省エネモードの移行に対応させる。また、ファックスボード３が省エネモードのときに、後述するサブＣＰＵ３２３から復帰命令信号が通知されると、省エネ管理部１５は、ファックスボード３の動作モードを省エネモードから通常モードに移行する。なお、省エネ管理部１５は、画像形成装置１００の各部ではなく、画像形成装置１００全体の動作モードを省エネモード又は通常モードにするように省エネ状態を管理してもよい。
【００２１】
電源制御部１６は、画像形成装置１００の各部の動作モードに応じて、ＣＰＵ１９とＣＰＵ１９に接続された各部の電源を制御する。例えば、通常モードでは、電源制御部１６により、不図示の商用電源からの電力がファックスボード３に供給されて、ファックスボード３が即時にファクシミリ受信可能な状態に制御される。一方、省エネモードでは、電源制御部１６により、ファックスボード３に供給される電源電力が低減されて、ファックスボード３がスリープ状態となる。
【００２２】
ＣＰＵ１９は、操作パネル部１０、画像読取部１１、記憶部１２、印刷部１３、通信部１４、省エネ管理部１５、電源制御部１６、ＲＡＭ１７、ＲＯＭ１８及びファックスボード３にそれぞれ接続され、操作パネル部１０から入力された所定の指示情報に応じて画像形成装置１００全体の動作制御を実行する。ＲＯＭ（Read Only Memory）１８には、画像形成装置１００の動作制御を行うための制御プログラムが記憶されている。ＣＰＵ１９は、ＲＯＭ１８に記憶されている制御プログラムを読み出し、制御プログラムをＲＡＭ（Random Access Memory）１７に展開させることで装置全体の制御を行う。
【００２３】
また、上記の他に、ＣＰＵ１９には、画像データに対して所定の画像処理を行う画像処理部が接続されていてもよい。画像処理部では、例えば、拡大縮小処理や、濃度調整、階調調整等の画像改善処理が行われる。
【００２４】
ファックスボード３は、ＵＳＢコントロール２を介してメインコントローラー１と互いにデータの送受信が可能に接続されている。ファックスボード３は、接続切換部３０とメイン制御ユニット３１とサブ制御ユニット３２とを備えており、ファクシミリ送受信手段として機能する。
【００２５】
接続切換部３０は、メイン制御ユニット３１のモデム・呼出信号検出部３１２とサブ制御ユニット３２の着信検出部３２１と外付け電話機４と公衆回線網５に接続されている。接続切換部３０は、メイン制御ユニット３１のメインＣＰＵ３１３によって制御され、通常モードでは、公衆回線網５の電話回線５１の接続を外付け電話機４とモデム・呼出信号検出部３１２とに選択的に切り替え、省エネモードでは、公衆回線網５の電話回線５１の接続を外付け電話機４と着信検出部３２１とに選択的に切り替える。
【００２６】
メイン制御ユニット３１は、ファックスボード３が通常モードであるときに動作し、省エネモードではスリープ状態となる。メイン制御ユニット３１は、時計部３１１とモデム・呼出信号検出部３１２とメインＣＰＵ３１３とＲＯＭ３１４とＲＡＭ３１５とを備えている。
【００２７】
時計部３１１は、現在日時情報を出力する機能を備えている。
モデム・呼出信号検出部３１２は、モデムを有して構成される。モデム・呼出信号検出部３１２は、接続切換部３０に接続され、公衆回線網５から送出される呼出信号を検出するとともに、画像読取部１１によって読み取られた画像データや、記憶部１２に記憶されている画像データからファクシミリ信号を生成し、ファクシミリ信号を公衆回線網５経由で送信するファクシミリ送信機能と、公衆回線網５経由でファクシミリ信号を受信するファクシミリ受信機能とを備えている。
【００２８】
メインＣＰＵ３１３は、時計部３１１、モデム・呼出信号検出部３１２、ＲＯＭ３１４、ＲＡＭ３１５、サブＣＰＵ３２３及び接続切換部３０にそれぞれ接続され、ファックスボード３全体の動作制御を実行する。ＲＯＭ３１４には、ファックスボード３の動作制御を行うための制御プログラムが記憶されている。メインＣＰＵ３１３は、ＲＯＭ３１４に記憶されている制御プログラムを読み出し、制御プログラムをＲＡＭ３１５に展開させることでファックスボード３全体の制御を行う。
【００２９】
【表１】
0005882268.tif 000002
【００３０】
また、ＲＯＭ３１４には、表１に示す仕向地別の呼出信号の鳴動パターンが記憶されている。呼出信号は、表１に示すように国別（仕向地別）に予め鳴動パターンが決まっている。例えば、日本では、図２に示すように、呼出信号は、７５Ｖ、１６Ｈｚであり、１秒オン（鳴動）して２秒オフ（休止）する鳴動パターンが周期的に繰り返されて構成される。本実施形態では、画像形成装置１００の仕向地が日本であるものとして説明する。
【００３１】
また、メインＣＰＵ３１３は、操作パネル部１０を介して仕向地とファクシミリの自動受信開始までの呼出信号の鳴動回数である規定鳴動回数Ｎとが設定されると、省エネモード中に呼出信号の着信が検出されてからオフフックするまでの所要時間Ｔを算出し、ＲＯＭ３１４に所要時間Ｔを記憶する。また、その際に操作パネル部１０を介して設定された仕向地と規定鳴動回数ＮもＲＯＭ３１４に記憶される。所要時間Ｔの算出方法については後述する。なお、所要時間Ｔは、予め設定された規定鳴動回数Ｎに対応する時間よりも短いものとする。また、規定鳴動回数Ｎは、操作パネル部１０を介してユーザーにより設定された固定値であるものとして説明するが、予めプログラムで設定された固定値であってもよい。
【００３２】
省エネ管理部１５より省エネ移行が通知されると、メインＣＰＵ３１３は、接続切換部３０を制御して、公衆回線網５の電話回線５１の接続を外付け電話機４とモデム・呼出信号検出部３１２とに選択的に切り替える通常モードの接続構成から、公衆回線網５の電話回線５１の接続を外付け電話機４と着信検出部３２１とに選択的に切り替える省エネモードの接続構成に切り替える。それとともに、メインＣＰＵ３１３は、サブ制御ユニット３２を起動して、公衆回線網５からの呼出信号の着信を検出したらファックスボード３を通常モードに復帰させるようにサブＣＰＵ３２３に依頼する。その後、電源制御部１６によりファックスボード３に供給される消費電力が低減され、サブ制御ユニット３２に電力が供給された状態で、メイン制御ユニット３１の電源がオフにされて、ファックスボード３がスリープ状態になる。
【００３３】
サブＣＰＵ３２３により着信検出部３２１を介して公衆回線網５からの呼出信号の着信が検出されると、省エネ管理部１５によりファックスボード３が省エネモードから通常モードに移行され、電源制御部１６によりメイン制御ユニット３１の電源がオンにされ、メイン制御ユニット３１がスリープ状態から復帰して通常モードで起動する。
【００３４】
復帰したメインＣＰＵ３１３は、接続切換部３０を制御して、公衆回線網５の電話回線５１の接続を外付け電話機４と着信検出部３２１とに選択的に切り替える省エネモードの接続構成から、公衆回線網５の電話回線５１の接続を外付け電話機４とモデム・呼出信号検出部３１２とに選択的に切り替える通常モードの接続構成に切り替える。
【００３５】
また、メインＣＰＵ３１３は、通常モードに復帰すると、復帰したときの復帰時刻Ｔ２を時計部３１１から取得するとともに、呼出信号が検出された検出時刻Ｔ１をサブＣＰＵ３２３から取得し、ＲＯＭ３１４に記憶された所要時間Ｔを取得する。つづいて、メインＣＰＵ３１３は、復帰時刻Ｔ２から検出時刻Ｔ１を差し引いた時間に基づいてタイマーにより計測した時間が、所要時間Ｔに達したか判定する。
【００３６】
所要時間Ｔに達すると、メインＣＰＵ３１３は、接続切換部３０を制御して電話回線５１の接続先を外付け電話機４からモデム・呼出信号検出部３１２に切り替え、オフフックしてファクシミリ受信を開始する。なお、メインＣＰＵ３１３は、通常モード中にモデム・呼出信号検出部３１２を介して呼出信号の着信を検出すると、呼出信号の鳴動回数をカウントし、カウント値が規定鳴動回数Ｎに達するとオフフックして、ファクシミリ受信を開始する。
【００３７】
サブ制御ユニット３２は、省エネモードのときにメイン制御ユニット３１に代わって公衆回線網５からの呼出信号の着信を検出して、ファックスボード３を通常モードに復帰させるために設けられている。サブ制御ユニット３２は、ファックスボード３が通常モードのときに、電源制御部１６により電源オフされて停止し、省エネモードのときに電源制御部１６により電源がオンされて起動する。サブ制御ユニット３２は、着信検出部３２１と着信検出情報記憶部３２２とサブＣＰＵ３２３とを備えている。
【００３８】
着信検出部３２１は、接続切換部３０を介して公衆回線網５から送出される呼出信号の着信を検出する。
【００３９】
着信検出情報記憶部３２２は、半導体メモリーやラッチ回路等で構成され、着信検出部３２１が呼出信号の着信を検出したときの検出時刻Ｔ１を記憶する記憶手段である。
【００４０】
サブＣＰＵ３２３は、ワンチップマイコン等で構成されており、着信検出部３２１、着信検出情報記憶部３２２、メインＣＰＵ３１３及び省エネ管理部１５に接続されている。サブＣＰＵ３２３は、不図示のＲＯＭに記憶された制御プログラムを不図示のＲＡＭに展開させることでサブ制御ユニット３２全体の制御を行う。サブＣＰＵ３２３は、着信検出部３２１を介して呼出信号の着信を検出すると、メインコントローラー１の省エネ管理部１５に復帰命令信号を出力して、ファックスボード３を通常モードに復帰させる。また、サブＣＰＵ３２３は、不図示の時計部を介して、呼出信号の着信を検出した際の検出時刻Ｔ１を取得し、検出時刻Ｔ１を着信検出情報記憶部３２２に記憶させる。
【００４１】
次に図３を参照して接続切換部３０の接続態様について説明する。
【００４２】
端子Ｌ１、Ｌ２は、公衆回線網５からの２線式の電話回線５１のそれぞれに接続されている。端子Ｌ１は、オフフックを検出する電流検知部（オフフック検出部）３０１を介して、回線リレー３０３の接続点ｃ１に接続される。端子Ｌ２は、回線リレー３０３の接続点ｃ２に接続される。
【００４３】
外付け電話機４は、一方のラインが第１のリレー３０２を介して電流検知部３０１と回線リレー３０３の接続点ｃ１との間に接続し、他方のラインが端子Ｌ２と回線リレー３０３の接続点ｃ２の間に接続している。第１のリレー３０２は、着信を待機する着信待機状態では閉じている。
【００４４】
回線リレー３０３の接続点ａ１には、直列に接続されたコンデンサＣ１を介してトランスＴ１の一次側端子の一端が接続され、トランスＴ１の一次側端子の他端には、回線リレー３０３の接続点ａ２が接続される。トランスＴ１の二次側端子には、モデム・呼出信号検出部３１２が接続される。
【００４５】
回線リレー３０３の接続点ａ１とトランスＴ１の一次側端子の一端との間には、コンデンサＣ１をバイパスするように第２のリレー３０４が設けられている。第２のリレー３０４は、着信待機状態では開いている。
【００４６】
回線リレー３０３の接続点ｂ１には、トランスＴ２の一次側端子の一端が接続され、回線リレー３０３の接続点ｂ２には、直列に接続されたコンデンサＣ２を介してトランスＴ２の一次側端子の他端が接続されている。トランスＴ２の二次側端子には、着信検出部３２１が接続されている。
【００４７】
省エネモードにおいて、公衆回線網５から呼出信号が端子Ｌ１、Ｌ２に入力されると、呼出信号は、電流検知部３０１を介して回線リレー３０３に入力される。着信待機状態において、第１のリレー３０２は閉状態であるから、外付け電話機４にも呼出信号が入力され、呼出信号により外付け電話機４が鳴動する。
【００４８】
回線リレー３０３において、省エネモードでは、接続点ｃ１と接続点ｃ２がそれぞれ接続点ｂ１と接続点ｂ２に接続されており、接続点ｃ１と接続点ｃ２から入力された呼出信号は、着信検出部３２１側に出力される。コンデンサＣ２では、直流成分が遮断され、交流成分が通過するので、交流のパルス信号である呼出信号は、コンデンサＣ２、トランスＴ２を介して着信検出部３２１に入力される。
【００４９】
着信検出部３２１により呼出信号の着信が検出されると、メイン制御ユニット３１がスリープ状態から復帰し、回線リレー３０３において、接続点ｃ１と接続点ｃ２の接続先がそれぞれ接続点ｂ１と接続点ｂ２から接続点ａ１と接続点ａ２に切り替わる。これにより、公衆回線網５からの呼出信号がモデム・呼出信号検出部３１２側に出力され、コンデンサＣ１を通過して、トランスＴ１経由でモデム・呼出信号検出部３１２に入力される。
【００５０】
省エネモードで着信検出部３２１により呼出信号の着信が検出された場合、メインＣＰＵ３１３により着信検出部３２１で呼出信号の着信が検出されてから所要時間Ｔに達したか判定される。所要時間Ｔに達すると、第１のリレー３０２が開状態になるとともに第２のリレー３０４が閉状態になり、端子Ｌ１、Ｌ２間が閉結されて直流ループが形成される（オフフックされる）。外付け電話機４は、第１のリレー３０２が開状態になることにより電話回線５１から切り離され、鳴動を停止する。なお、通常モード中にモデム・呼出信号検出部３１２により呼出信号の着信が検出されると、メインＣＰＵ３１３によりモデム・呼出信号検出部３１２で検出された呼出信号の鳴動回数がカウントされ、カウント値が規定鳴動回数Ｎに達するとオフフックされる。
【００５１】
直流ループが形成されると、公衆回線網５において直流ループ電流が検出されて呼出信号の送出が停止され、公衆回線網５からファクシミリ信号が送出される。端子Ｌ１、Ｌ２を介して入力されたファクシミリ信号は、回線リレー３０３を介してモデム・呼出信号検出部３１２に出力され、モデム・呼出信号検出部３１２によりファクシミリ受信動作が開始される。
【００５２】
なお、公衆回線網５からファクシミリ信号が送出されない場合、第２のリレー３０４が開状態になるとともに第１のリレー３０２が閉状態になり、モデム・呼出信号検出部３１２と電話回線５１との接続が切り離されて、電話回線５１と外付け電話機４が接続され、外付け電話機４の留守番電話機能が動作する。
【００５３】
上述の構成の画像形成装置１００についてファックスボード３の処理の流れを説明する。
まず、図４を参照してメインＣＰＵ３１３が所要時間Ｔを算出する処理の流れを説明する。画像形成装置１００には、納品される際等に予め仕向地と規定鳴動回数Ｎが設定されるものとする。
【００５４】
メインＣＰＵ３１３は、操作パネル部１０を介して仕向地が設定されたか判定する（ステップｓ１０１）。仕向地が設定されていない場合、メインＣＰＵ３１３は、仕向地が設定されるまで待機する（ステップｓ１０１でＮｏ）。仕向地が設定されると（ステップｓ１０１でＹｅｓ）、メインＣＰＵ３１３は、操作パネル部１０を介してファクシミリの自動受信開始までの鳴動回数である規定鳴動回数Ｎが設定されたか判定する（ステップｓ１０２）。規定鳴動回数Ｎが設定されていない場合、メインＣＰＵ３１３は、規定鳴動回数Ｎが設定されるまで待機する（ステップｓ１０２でＮｏ）。規定鳴動回数Ｎが設定されると（ステップｓ１０２でＹｅｓ）、メインＣＰＵ３１３は、ＲＯＭ３１４を参照して、設定された仕向地の呼出信号の鳴動パターンを取得する（ステップｓ１０３）。
【００５５】
つづいて、メインＣＰＵ３１３は、設定された仕向地の呼出信号の鳴動回数をＮ回（規定鳴動回数Ｎ）カウントするのに要する所要時間Ｔを算出する（ステップｓ１０４）。
【００５６】
具体的には、メインＣＰＵ３１３は、図５に示すように、所要時間Ｔ＝ｔ２（Ｎ−１）＋ｔ１を計算して、所要時間Ｔを取得する。ここで、ｔ１は、呼出信号の鳴動パターン１周期の呼出信号オン（鳴動）時間である。また、ｔ２は、呼出信号の鳴動周期である。Ｎは、規定鳴動回数Ｎである。
【００５７】
例えば、仕向地として日本が設定され、規定鳴動回数Ｎとして４回が設定されたとする。日本の呼出信号は１秒オンして２秒オフする鳴動パターンであるから、所要時間Ｔ＝３×（４−１）＋１となり、所要時間Ｔ＝１０秒が算出される。
【００５８】
メインＣＰＵ３１３は、所要時間Ｔを算出すると、所要時間ＴをＲＯＭ３１４に記憶して（ステップｓ１０５）、本処理を終了する。
【００５９】
次に、図６を参照してファックスボード３が通常モード中に着信を検出したときの処理の流れを説明する。ここでは、通常モードであるので、メイン制御ユニット３１が起動し、サブ制御ユニット３２が停止し、回線リレー３０３がメイン制御ユニット３１側に切り替えられているものとして説明する。
【００６０】
メインＣＰＵ３１３は、モデム・呼出信号検出部３１２により呼出信号の着信が検出されるまで待機しており（ステップｓ１１でＮｏ）、呼出信号の着信が検出されると（ステップｓ１１でＹｅｓ）、ＲＯＭ３１４に記憶された規定鳴動回数Ｎを取得する（ステップｓ１２）。つづいて、メインＣＰＵ３１３は、鳴動回数をカウントする変数であるｎに“０”を設定し（ステップｓ１３）、ｎ≧Ｎであるか判定する（ステップｓ１４）。
【００６１】
ｎ≧Ｎでない場合（ステップｓ１４でＮｏ）、メインＣＰＵ３１３は、モデム・呼出信号検出部３１２を介して呼出信号の鳴動パターンの１周期分が検出されたか判定する（ステップｓ１５）。
【００６２】
鳴動パターン１周期分が検出されない場合（ステップｓ１５でＮｏ）、メインＣＰＵ３１３は、ｎ≧Ｎであるか判定する処理に戻る（ステップｓ１４）。なお、鳴動パターン１周期分が検出されない場合、メインＣＰＵ３１３は、鳴動パターン１周期分が検出されるまで待機して、鳴動パターン１周期分が検出されたか判定してもよい（ステップｓ１５）。鳴動パターン１周期分が検出されると（ステップｓ１５でＹｅｓ）、メインＣＰＵ３１３は、ｎをインクリメントして（ステップｓ１６）、ｎ≧Ｎであるか判定する処理に戻る（ステップｓ１４）。
【００６３】
ｎ≧Ｎになると（ステップｓ１４でＹｅｓ）、呼出信号の鳴動回数が規定鳴動回数Ｎに達したので、メインＣＰＵ３１３は、オフフックして（ステップｓ１７）、本処理を終了する。この後、モデム・呼出信号検出部３１２によりファクシミリ受信処理が開始される。
【００６４】
次に、図７を参照してファックスボード３が通常モードから省エネモードに移行して省エネモード中に着信を検出するときの処理の流れを説明する。ここで、最初にファックスボード３は通常モードであり、メイン制御ユニット３１が起動し、サブ制御ユニット３２が停止し、回線リレー３０３がメイン制御ユニット３１側に切り替えられた状態である。
【００６５】
メインＣＰＵ３１３は、省エネ管理部１５から省エネ移行が通知されるのを待機している（ステップｓ５１でＮｏ）。省エネ移行が通知されると（ステップｓ５１でＹｅｓ）、メインＣＰＵ３１３により、回線リレー３０３の接続先がメイン制御ユニット３１側（モデム・呼出信号検出部３１２）からサブ制御ユニット３２側（着信検出部３２１）に切り替えられ（ステップｓ５２）、サブ制御ユニット３２が起動して（ステップｓ５３）、メイン制御ユニット３１がスリープ状態になる（ステップｓ５４）。起動したサブＣＰＵ３２３は、着信検出部３２１により呼出信号の着信が検出されるまで待機する（ステップｓ５５でＮｏ）。
【００６６】
着信検出部３２１により呼出信号の着信が検出されると（ステップｓ５５でＹｅｓ）、サブＣＰＵ３２３は、着信検出部３２１により呼出信号が検出された検出時刻Ｔ１を着信検出情報記憶部３２２に記憶させ（ステップｓ５６）、省エネ管理部１５に復帰命令信号を出力する（ステップｓ５７）。これにより、省エネ管理部１５を介してメイン制御ユニット３１が復帰して通常モードで起動する（ステップｓ５８）。
【００６７】
起動したメインＣＰＵ３１３は、時計部３１１を介して現在時刻を取得して復帰時刻Ｔ２とする（ステップｓ５９）。つづいて、メインＣＰＵ３１３は、回線リレー３０３の接続先をサブ制御ユニット３２側（着信検出部３２１）からメイン制御ユニット３１側（モデム・呼出信号検出部３１２）に切り替える（ステップｓ６０）。また、メインＣＰＵ３１３は、サブＣＰＵ３２３から検出時刻Ｔ１を取得するとともに（ステップｓ６１）、ＲＯＭ３１４に記憶された所要時間Ｔを取得する（ステップｓ６２）。
【００６８】
つづいて、メインＣＰＵ３１３は、時間を計測するタイマーであるｔにＴ２−Ｔ１をセットして（ステップｓ６３）、ｔ≧Ｔであるか判定する（ステップｓ６４）。つまり、ここでは、サブ制御ユニット３２により呼出信号の着信が検出されてからメイン制御ユニット３１が復帰するまでの経過時間ＹであるＴ２−Ｔ１がタイマーｔの初期値にセットされ、経過時間Ｙから時間の計測が開始される。
【００６９】
ｔ≧Ｔになるまでタイマーｔによる時間計測が続行され（ステップｓ６４でＮｏ）、ｔ≧Ｔになると（ステップｓ６４でＹｅｓ）、メインＣＰＵ３１３は、オフフックして（ステップｓ６５）、本処理を終了する。このあと、モデム・呼出信号検出部３１２によりファクシミリ受信処理が開始される。また、このあと、メインＣＰＵ３１３はサブ制御ユニット３２を停止してもよい。
【００７０】
なお、上記で復帰時刻Ｔ２が取得されるステップｓ５９の処理から、タイマーｔによる計測が行われるステップｓ６４の処理までの時間は、ほぼ無視できる時間である。
【００７１】
また、メインＣＰＵ３１３は、タイマーｔの時間計測を“０”から開始し、タイマーｔの計測値に経過時間ＹであるＴ２−Ｔ１を加算した時間が所要時間Ｔに達したときにオフフックしてもよい。つまり、経過時間Ｙに基づいてタイマーで計測した時間が、ＲＯＭ３１４に記憶された所要時間Ｔに達したときにオフフックできればよい。
【００７２】
以上の処理により、本実施形態では、呼出信号の着信から鳴動回数が規定鳴動回数Ｎに達するまでに要する所要時間Ｔが予め算出されてＲＯＭ３１４に記憶されており、省エネモード中にサブ制御ユニット３２により呼出信号の着信が検出されると、経過時間Ｙに基づいてタイマーで時間を計測し、計測時間が所要時間Ｔに達するとオフフックしている。また、通常モード中に呼出信号の着信が検出されると、呼出信号の鳴動回数をカウントして、カウント値が規定鳴動回数Ｎに達したときにオフフックしている。そのため、本実施形態によれば、鳴動装置を設けることなく、ユーザー等により予め設定された規定鳴動回数通りの正しい鳴動回数に対応する時間でオフフックすることができる。
【００７３】
また、本実施形態では、サブ制御ユニット３２の機能を簡単にしているので、安価な部品で構成することができ、コストを抑えることができる。また、外付け電話機４を呼出信号によって鳴動させるので、外付け電話機４を鳴動させるために別途鳴動装置を設ける必要がなく、コストを抑えることができる。
【００７４】
本発明は上述した実施の形態に限定されるものではなく、本発明の趣旨を逸脱しない範囲で種々様々に変更が可能であることは言うまでもない。
【００７５】
例えば、メインＣＰＵ３１３は、経過時間ＹをサブＣＰＵ３２３から取得してもよい。この場合、サブＣＰＵ３２３は、呼出信号の着信を検出した検出時刻Ｔ１を着信検出情報記憶部３２２に記憶させ、メインＣＰＵ３１３により経過時間Ｙの取得要求が通知されたときに、その経過時間Ｙの取得要求が通知された時刻から着信検出情報記憶部３２２に記憶された検出時刻Ｔ１を差し引いた時刻を経過時間ＹとしてメインＣＰＵ３１３に通知してもよい。また、サブＣＰＵ３２３は、呼出信号の着信を検出してからメインＣＰＵ３１３により経過時間Ｙの取得要求が通知されるまでの時間を計測して、計測した時間を経過時間ＹとしてメインＣＰＵ３１３に通知してもよい。
【符号の説明】
【００７６】
１  メインコントローラー
２  ＵＳＢコントロール
３  ファックスボード
４  外付け電話機（留守番電話）
５  公衆回線網
１０  操作パネル部
１１  画像読取部
１２  記憶部
１３  印刷部
１４  通信部
１５  省エネ管理部
１６  電源制御部
１７  ＲＡＭ
１８  ＲＯＭ
１９  ＣＰＵ
３０  接続切換部
３１  メイン制御ユニット
３２  サブ制御ユニット
５１  電話回線
３０１  電流検知部（オフフック検知部）
３０２  第１のリレー
３０３  回線リレー
３０４  第２のリレー
３１１  時計部
３１２  モデム・呼出信号検出部
３１３  メインＣＰＵ
３１４  ＲＯＭ
３１５  ＲＡＭ
３２１  着信検出部
３２２  着信検出情報記憶部
３２３  サブＣＰＵ
１００  画像形成装置
ａ１、ａ２、ｂ１、ｂ２、ｃ１、ｃ２  接続点
Ｃ１、Ｃ２  コンデンサ
Ｔ１、Ｔ２  トランス
【図１】
0005882268.tif 000003
【図２】
0005882268.tif 000004
【図３】
0005882268.tif 000005
【図４】
0005882268.tif 000006
【図５】
0005882268.tif 000007
【図６】
0005882268.tif 000008
【図７】
0005882268.tif 000009